(57)【要約】【課題】遊技機の供給皿が満杯状態になるのを可及的に回避すること。【解決手段】賞球樋４５の下端部と、その上方に満杯検出スイッチ５１、５２が設置されている。満杯検出スイッチ５１がオンすると満杯警報ランプ３３が点滅を繰り返す。満杯検出スイッチ５２がオンすると満杯警報ランプ３３は点灯したままになり、払出装置４４が稼動しなくなる。遊技者が、満杯警報ランプ３３の点滅に応じて供給皿１５の遊技球を排出すれば満杯警報ランプ３３は消灯する。満杯警報ランプ３３が点灯したままになったときも、同様に供給皿１５の遊技球を排出すれば、満杯警報ランプ３３が点灯状態から点滅状態に変化し、次には消灯する。供給皿１５が満杯になる前の段階で警報を行って満杯を予防できる。【選択図】図２
2008148847.tif 000002
【特許請求の範囲】
【請求項１】
払出装置から払い出された遊技球を受け容れて遊技機に取り込ませるための遊技球として貯留する供給皿と、
前記供給皿に貯留されている遊技球を、前記遊技機に取り込ませるための経路とは異なる経路にて、前記供給皿から排出するための排出路と、
前記排出路による遊技球の排出を通断する開閉手段と
を備える遊技機において、
前記供給皿に貯留された遊技球の量が第１の警報量に達したことを検出する第１の検出手段と、
前記供給皿に貯留された遊技球の量が前記第１の警報量よりも多く設定されている第２の警報量に達したことを検出する第２の検出手段と、
前記第１の検出手段により前記供給皿に貯留された遊技球の量が第１の警報量に達したことが検出されると第１の警報を行う第１の警報手段と、
前記第２の検出手段により前記供給皿に貯留された遊技球の量が第２の警報量に達したことが検出されると第２の警報を行う第２の警報手段と
を備えたことを特徴とする遊技機。
【請求項２】
請求項１記載の遊技機において、
前記排出路を通過した遊技球を受け容れるための受皿を備えないことを特徴とする遊技機。
【発明の詳細な説明】
【技術分野】
【０００１】
本発明は、遊技機の技術分野に属する。
【背景技術】
【０００２】
パチンコ機などの弾球遊技機には、発射装置に供給するための遊技球を貯留する供給皿が備わっている。この供給皿は、払出装置から払い出された遊技球を受け容れるためにも用いられ、それらの遊技球は発射装置に供給するための遊技球として貯留される。また、遊技媒体として遊技球を使用するスロットマシンがあり、このスロットマシンも同様の供給皿を備えている。
【０００３】
遊技を終えたとき等に、供給皿に貯留されている遊技球を取り出す必要があるので、普通は、供給皿に貯留されている遊技球を供給皿から排出するための排出路と、その排出路への排出口を開閉する開閉手段とが備わっている。遊技者は開閉手段を操作して排出路を開けることで、供給皿に貯留されている遊技球を排出させることができる。なお、開閉手段に対しては開操作のみが行われ、開操作を解除するとばね等の働きで閉に復帰するのが普通である。
【０００４】
供給皿と下の受皿との２つの球皿を備える遊技機では、排出路を通って排出された遊技球が下の受皿に流入する構成になっており、特開２００４−３２９２２７号公報（特許文献１）に開示されるような「一体皿」の場合は、排出路を通って排出された遊技球を球箱で受けることになる。
【特許文献１】特開２００４−３２９２２７号公報
【発明の開示】
【発明が解決しようとする課題】
【０００５】
下の受皿を備えている場合には、供給皿が満杯状態になったときには下の受皿に賞球を誘導する構成であるので、大当たり等で多数の賞球が払い出される場合でも、下の受皿が満杯にならなければ賞球の払出を行っても問題はなかった。なお、下の受皿が満杯になったときには、払出装置等を保護するために賞球の払い出しを停止していた。また、更なる入賞の発生を予防するために発射を停止することもあった。
【０００６】
ところが、特許文献１に開示の「一体皿」の場合、供給皿が満杯状態になったときには開閉手段を操作して球抜きをしなければ賞球の払い出しが停止されることになる。遊技者がこのことを知らなかったり、また知っていても開閉手段の操作を失念していたりすると、上に例示したような状態になるおそれがある。
【課題を解決するための手段】
【０００７】
請求項１記載の遊技機は、
払出装置から払い出された遊技球を受け容れて遊技機に取り込ませるための遊技球として貯留する供給皿と、
前記供給皿に貯留されている遊技球を、前記遊技機に取り込ませるための経路とは異なる経路にて、前記供給皿から排出するための排出路と、
前記排出路による遊技球の排出を通断する開閉手段と
を備える遊技機において、
前記供給皿に貯留された遊技球の量が第１の警報量に達したことを検出する第１の検出手段と、
前記供給皿に貯留された遊技球の量が前記第１の警報量よりも多く設定されている第２の警報量に達したことを検出する第２の検出手段と、
前記第１の検出手段により前記供給皿に貯留された遊技球の量が第１の警報量に達したことが検出されると第１の警報を行う第１の警報手段と、
前記第２の検出手段により前記供給皿に貯留された遊技球の量が第２の警報量に達したことが検出されると第２の警報を行う第２の警報手段と
を備えたので、
供給皿に貯留された遊技球の量を第１の警報量と第２の警報量との２段階で検出し、それぞれに警報を行うことができる。
【０００８】
第２の警報量として供給皿の満杯レベルを、第１の警報量として満杯レベルではないがこれに近いレベルを設定しておけば、供給皿が満杯になる前の段階（第１の警報量）で第１の警報を行って供給皿からの遊技球の排出（開閉手段の操作）を促して、満杯になるのを予防できる。また、供給皿が満杯状態になれば（第２の警報量）第２の警報を行って、ここでも供給皿からの遊技球の排出（開閉手段の操作）を促すことができる。
【０００９】
これにより、供給皿が満杯状態になるのを可及的に回避でき、満杯に伴う各種の不都合も予防できる。
請求項１の発明は、特許文献１に開示の「一体皿」形式の供給皿を備えた遊技機、すなわち請求項２に記載のように、前記排出路を通過した遊技球を受け容れるための受皿を備えない構成の遊技機に好適であるが、下の受皿を備える遊技機であっても適用可能である。
【発明を実施するための最良の形態】
【００１０】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
図１に示すように、遊技機の一種であるパチンコ機１の前面部には、上から順に盤面窓枠２、皿扉３、下部ユニット４が配されている。
【００１１】
これらは外枠５に保持された中枠６に取り付けられている。盤面窓枠２及び皿扉３はヒンジにて中枠６に軸支され、それぞれ扉状に開閉できるが、下部ユニット４は中枠６に固定されている。中枠６には盤面窓枠２を施錠するための錠部７が設けられており、錠部７を開錠すると盤面窓枠２を開放でき、盤面窓枠２を開放すると皿扉３を開放可能になる。また、下部ユニット４には発射装置を操作するための発射ハンドル４ａや灰皿４ｂが取り付けられている。
【００１２】
盤面窓枠２には円形の窓１０が設けられ、その周辺に電飾レンズ１２が配されている。また盤面窓枠２の外形は略矩形であるが、錠部７に対応する錠部切欠１３やヒンジのための切欠１４等が設けられている。
【００１３】
そして、盤面窓枠２の背後の窓１０に臨んだ位置には、中枠６に保持された遊技盤１５（詳細の図示は省略）が配されている。
皿扉３の前面部には供給皿１５が取り付けられている。供給皿１５には遊技球を貯留するための球池１６が凹部として設けられている。一方、皿扉３の前壁３ａには、払出装置４４（図２参照）から払い出された遊技球を球池１６に放出するための球放出樋１７が開口している。このため、球放出樋１７から放出された遊技球は球池１６に受け容れられて貯留される。
【００１４】
球池１６には、前壁３ａに沿った発射球誘導路１８が設けられている。球池１６に貯留されている遊技球は、発射球誘導路１８にて一列に整列されて誘導され、その先端部に設けられた送球口１９から球送り装置（図示略）に流入する。球送り装置（整流器ともいう）は、発射装置の稼動に呼応して遊技球を１球ずつ発射装置に送り出す。従って、球池１６に貯留されている遊技球は、発射装置が１球発射する毎に１球ずつ発射装置へと送り込まれる。
【００１５】
また、発射球誘導路１８の先端部の底部には、先端排出弁２１が設けられている。先端排出弁２１は、その下方に配されている先端排出路２２の入口を開閉する弁であり、球抜きボタン２３を押し込み操作すると先端排出弁２１が開弁されて、遊技球が発射球誘導路１８から先端排出路２２に流入する。先端排出路２２の下端は、供給皿１５の下端部に開口している排出樋２４に接続されており、先端排出路２２に流入した遊技球は排出樋２４の下端から落下する。
【００１６】
このパチンコ機１は、排出樋２４の下端から落下した遊技球を受け容れるための受皿（下皿）を備えておらず、排出樋２４を通過した遊技球は機外に排出される。
なお、球抜きボタン２３を押し込んでいた力を解除すれば、図示しないばねの働きにより球抜きボタン２３は元の位置に戻り先端排出弁２１は閉弁する。
【００１７】
球池１６の底部は、段差部２５により流部２６と湾部２７とに区分されている。流部２６には発射球誘導路１８が連なり、全体として先端排出弁２１（送球口１９）が最低になるように傾斜している。
【００１８】
一方、湾部２７は流部２６とは逆向きに傾斜しており、湾部２７に遊技球があれば、これが流部２６へと転動、流出するようになっている。
段差部２５での流部２６と湾部２７の高低差は、球放出樋１７側（流部２６における上流側）では遊技球の半径に満たず、流部２６が漏斗状に絞られている発射球誘導路１８との接続部付近では遊技球の半径を上回っている。また、この段差部２５は傾斜面になっている。
【００１９】
従って、球放出樋１７に近い部分では、遊技球が段差部２５を乗り越えて流部２６から湾部２７に移動するのは比較的容易であるが、発射球誘導路１８との接続部付近では流部２６から湾部２７に移動するのは難しい。但し、これは流部２６に存在する遊技球の量が少ない（例えば一段に並ぶ程度）ときであり、流部２６で２段、３段と遊技球が重なる状態では、その２段目や３段目の遊技球は比較的たやすく流部２６から湾部２７に移動できる。
【００２０】
また、湾部２７には、球放出樋１７の正面よりもやや右よりの位置に池内排出弁２８が設けられている。池内排出弁２８は、その下方に配されている池内排出路２９の入口を開閉する弁であり、球抜きレバー３１を右方向へスライド操作すると池内排出弁２８が開弁されて、遊技球が球池１６から池内排出路２９に流入する。池内排出路２９の下端は排出樋２４に接続されており、池内排出路２９に流入した遊技球は排出樋２４の下端から落下する。
【００２１】
なお、球抜きレバー３１をスライド操作する力を解除すれば、図示しないばねの働きにより球抜きレバー３１は元の位置に戻り池内排出弁２８は閉弁する。
供給皿１５の前縁部には満杯警報ランプ３３、貸出し要求ボタン３４、残高表示器３５、精算要求ボタン３６が設置されている。
【００２２】
図２に示すように、パチンコ機１の背面側には、球タンク４１、タンクレール４２、中継樋４３、払出装置４４、賞球樋４５等からなる賞球払出のための構成が備わっている。賞球樋４５の下端は球放出樋１７と接続されている。従って、払出装置４４を稼動させれば、球タンク４１から供給される遊技球を賞球として供給皿１５へ排出できる。また、いわゆるＣＲ機として使用する場合には、払出装置４４を球貸装置として機能させて、貸球としての遊技球を供給皿１５へ排出できる。なお、このパチンコ機１は、いわゆる下皿を備えていないので、賞球を下皿へと導くための構成は存在しない。
【００２３】
また、賞球樋４５の下端部と、それよりも上方とに、満杯検出スイッチ５１、５２が設置されている。満杯検出スイッチ５１、５２は、賞球樋４５内の遊技球によって検出片５１ａ、５２ａが押されるとオンになるスイッチである。
【００２４】
満杯検出スイッチ５１は球放出樋１７の内部に略１段積みになるように遊技球が蓄積すると検出片５１ａが押されてオンになり、満杯検出スイッチ５２は球放出樋１７はもとより、賞球樋４５の下部までもが遊技球で満たされると検出片５２ａが押されてオンになる。従って、満杯検出スイッチ５１がオンになれば供給皿１５が満杯に近い状態であり、満杯検出スイッチ５２がオンしたときには供給皿１５が満杯状態になっていることになる。
【００２５】
そして、満杯検出スイッチ５１がオンすると満杯警報ランプ３３が点滅を繰り返す。また、満杯検出スイッチ５２がオンすると満杯警報ランプ３３は点灯したままになり、払出装置４４が稼動しなくなる。
【００２６】
満杯警報ランプ３３の点滅及び点灯は、供給皿１５からの遊技球の排出（球抜きレバー３１又は球抜きボタン２３の操作）を促すためである。
遊技者が、満杯警報ランプ３３の点滅に応じて、球抜きレバー３１又は球抜きボタン２３を操作して供給皿１５の遊技球を排出すれば（排出された遊技球は球箱に受ける）、満杯検出スイッチ５１がオフになって満杯警報ランプ３３は消灯する。
【００２７】
満杯警報ランプ３３が点灯したままになったときも、同様に供給皿１５の遊技球を排出すればよい。この場合は、まず満杯検出スイッチ５２がオフになって満杯警報ランプ３３が点灯状態から点滅状態に変化し、更に遊技球を排出すれば上記のように消灯する。
【００２８】
すなわち、満杯警報ランプ３３の点滅により、供給皿１５が満杯になる前の段階で警報を行って供給皿１５からの遊技球の排出を促して、満杯になるのを予防でき、供給皿１５が満杯状態になれば満杯警報ランプ３３が点灯したままとなって、これにても供給皿１５からの遊技球の排出を促すことができる。
【００２９】
これにより、供給皿１５が満杯状態になるのを可及的に回避でき、満杯に伴う各種の不都合も予防できる。
なお、供給皿１５からの遊技球の排出は、球抜きレバー３１を操作しても、球抜きボタン２３を操作しても可能である。しかし、球抜きボタン２３を操作した場合は発射球誘導路１８から送球口１９、すなわち球送り装置経由で発射装置に供給される遊技球が途絶するので、遊技球の発射が行われなくなる。そのため、パチンコ遊技を続けながら供給皿１５から遊技球を排出するには、球抜きレバー３１を操作するのが好ましい。
【００３０】
球抜きレバー３１を操作したときに開弁する池内排出弁２８は湾部２７に配されているので、池内排出弁２８から最大限に遊技球を排出しても、流部２６の遊技球までは排出されない。従って、流部２６から発射球誘導路１８、送球口１９、球送り装置、発射装置という遊技球の流れは確保されるので、遊技球の発射すなわち遊技を行うことが可能である。
【図面の簡単な説明】
【００３１】
【図１】実施例のパチンコ機の平面図（ａ）及び正面図（ｂ）。
【図２】実施例のパチンコ機の背面図。
【符号の説明】
【００３２】
１・・・パチンコ機（遊技機）、
３・・・皿扉、
１５・・・供給皿、
１５・・・遊技盤、
１６・・・球池、
１８・・・発射球誘導路、
１９・・・送球口、
２１・・・先端排出弁（開閉手段）、
２２・・・先端排出路（排出路）、
２３・・・球抜きボタン、
２４・・・排出樋（排出路）、
２５・・・段差部、
２６・・・流部、
２７・・・湾部、
２８・・・池内排出弁（開閉手段）、
２９・・・池内排出路（排出路）、
３１・・・球抜きレバー、
３３・・・満杯警報ランプ（第１、第２の警報手段）
４４・・・払出装置、
４５・・・賞球樋、
５１・・・満杯検出スイッチ（第１の検出手段）、
５２・・・満杯検出スイッチ（第２の検出手段）。
【図１】
2008148847.tif 000003
【図２】
2008148847.tif 000004